(57)【要約】      （修正有）【課題】軸孔が見えないように形成した分割可能なテープディスペンサーにおいて、分割、嵌め合わせを円滑に行なえるようにするテープディスペンサーを提供する。【解決手段】２つの構成部材２，３に分割可能なテープディスペンサー１であって、分割される一方の構成部材２に粘着テープ５を回転可能に保持する円筒状の保持軸６を設け、他方の構成部材３に保持軸に嵌め合わせ可能な挿入軸１６を設ける。保持軸の内面２４及び／又は挿入軸の外面２６に、両軸の嵌合及び離脱状態を確実に行うことができるように両軸間に介在するような複数個の微小突起２５を形成する。微小突起は、その高さを０.０５〜０.３０ｍｍ程度のものとするとよい。【選択図】図５
0003191091.tif 000002
【実用新案登録請求の範囲】
【請求項１】
軸孔が見えないように形成され２つの構成部材に分割可能にされたテープディスペンサーであって、一方の構成部材に粘着テープの巻芯を回転可能に保持する保持軸を設け、他方の構成部材に上記保持軸に嵌め合わせ可能な挿入軸を設け、上記保持軸の内面及び／又は挿入軸の外面に両軸の嵌合及び離脱状態を確実に行うことができるように複数個の微小突起を形成したテープディスペンサー。
【請求項２】
上記微小突起は、その高さが０.０５〜０.３０ｍｍである請求項１に記載のテープディスペンサー。
【請求項３】
上記微小突起は、保持軸及び／又は挿入軸の周りに６０度以上で１８０度未満の間隔を置いて形成されている請求項１に記載のテープディスペンサー。
【請求項４】
上記微小突起は、保持軸及び／又は挿入軸の周りに等間隔に形成されている請求項３に記載のテープディスペンサー。
【請求項５】
前記保持軸が円筒状であることを特徴とする請求項１〜４のいずれかに記載のテープディスペンサー。
【考案の詳細な説明】
【技術分野】
【０００１】
本考案は、巻回された粘着テープを保持しておくテープディスペンサーに関し、特に、ハンディタイプのテープディスペンサーの改良に関する。
【背景技術】
【０００２】
従来、ハンディタイプのテープディスペンサーは、粘着テープを取り替える必要から２つに分割することができるように形成されており、嵌め合わせ可能な軸芯に粘着テープの巻芯を保持するようにしたり（引用文献１）、ケース本体に形成した粘着テープを保持する軸芯に、蓋に設けた軸をネジ合わせして蓋をするようにしたりしている（引用文献２）。
こうした従来のものでは、上記の軸芯が筒状に貫通していて外部から軸孔が見えるので、テープディスペンサーの形状も自ずと限られた形状のものとなっていた。
【０００３】
外部から軸孔が見えないようにしたものは、分割可能なテープディスペンサー本体の構成部材の各内面から嵌合可能な筒状の軸芯を立上げ、これを嵌め合わせることによってテープディスペンサーとしており、これによって種々の形態のものの提供が可能となった。また、この軸芯を嵌め合わせるときに容易に外れないような適度な嵌合力を得るために、軸芯の間に微小な突起を１つ介在させるように設けている。
【０００４】
しかし、上記両軸芯は、その間に１つの微小突起が設けられているとはいえ、分割可能なテープディスペンサーの両部材とほぼ一体に成形されていて隙間がほとんど無いために、両軸芯を嵌め合わせるときに軸芯部分が閉鎖的な空間を形成してしまい、嵌め合わせに伴って空間内の空気が圧縮され、圧縮空気の反発力によって嵌め合せがスムーズに出来ないことがあった。また、この突起を高くすると空気の抜けは良くても軸芯を嵌め合わせたときに緩みが生じ易いという点もみられた。
【先行技術文献】
【特許文献】
【０００５】
【特許文献１】実開平１−７０７６０号公報
【特許文献２】特開平６−２３９５１７号公報
【考案の概要】
【考案が解決しようとする課題】
【０００６】
本考案は、上記の如き軸孔が見えないように形成した分割可能なテープディスペンサーにおいて、両軸芯を嵌め合わせるときに生じる軸芯部分の閉鎖的な空間から、圧縮される空気を効果的に逃し、嵌め合わせを円滑かつ効果的に行なえるようにしようとするものである。
【課題を解決するための手段】
【０００７】
本考案は、軸孔が見えないように形成され２つの構成部材に分割可能にされたテープディスペンサーであって、一方の構成部材に粘着テープの巻芯を回転可能に保持する保持軸を設け、他方の構成部材に上記保持軸に嵌め合わせ可能な挿入軸を設ける。上記保持軸の内面及び／又は挿入軸の外面に、両軸の嵌合及び離脱状態を確実に行うことができるように両軸間に介在するような複数個の微小突起を形成してテープディスペンサーとする。
上記微小突起は、その高さを０.０５〜０.３０ｍｍ程度のものとすることができ、保持軸及び／又は挿入軸の周りに６０度以上で１８０度未満の間隔を置いて形成するようにする。
【考案の効果】
【０００８】
本考案によれば、テープディスペンサーの構成部材に設けた上記保持軸と挿入軸の間に複数の微小突起が介在しているので、保持軸と挿入軸を嵌め合わせるときに軸芯部分に形成される閉鎖的な空間から圧縮される空気を効果的に逃し、嵌め合わせを円滑かつ効果的に行えるようになる。また、保持軸と挿入軸はこの微小突起によって接触しているので、両軸の嵌合状態を確実に維持することができると共に、嵌合状態を解くときにも無理なく行うことができるようになる。
【図面の簡単な説明】
【０００９】
【図１】本考案の実施例を示す斜視図である。
【図２】図１に示すものの嵌合状態を解いて分割した一方の内側を示す正面図である。
【図３】図１に示すものの嵌合状態を解いて分割した他方の内側を示す正面図である。
【図４】図２に示すものの保持軸の一部を拡大して示す説明図である。
【図５】図１に示すものの保持軸と挿入軸の嵌め合わせ状態を示す説明図である。
【考案を実施するための形態】
【００１０】
テープディスペンサー１は、プラスチック材料によって形成され、２つの構成部材２、３に分割することができるようになっている。
一方の構成部材２の内面４には、粘着テープ５の巻芯を通して保持するための筒状の保持軸６が形成されている。この構成部材２の周囲は側壁７で囲まれ、この側壁７には巻戻した粘着テープ５を引き出すための開口部８と、その開口部８の一端部にカッター９を設けている。
【００１１】
上記構成部材２の内面４で保持軸６の基部に当る部分には、保持軸６を補強するための低い補強段部１０と、その上に保持軸６に保持させた粘着テープ５が移動して部材２の内面４に接触しないように突条１１を設けている。上記補強段部１０は、金型を用いて射出成型により大量生産する場合に発生するヒケの現象による外観不良を抑制することができる。
【００１２】
他方の構成部材３の内面１４には、上記保持軸６の内側に挿入される筒状の挿入軸１６が形成されている。この構成部材３の周囲は側壁１７で囲まれ、この側壁１７には巻戻した粘着テープを引き出すための開口部１８と、その開口部１８の一端部に上記カッター９に設けた穴１２に係合する突条１９を設けている。
また、上記構成部材３の内面１４で挿入軸１６の基部に当る部分には、上記保持軸６に於けるのと同様に、低い補強段部２０と、その上に突条２１を設けている。
【００１３】
上記一方の構成部材２の保持軸６に粘着テープ５を保持させ、他方の構成部材３の挿入軸１６を上記保持軸６に嵌め合わせると共に、他方の部材３の突条１９をカッター９の穴１２に嵌め合わせると、分割された２つの構成部材２，３が組み合わさってテープディスペンサー１となる。
【００１４】
上記保持軸６の内面２４には複数個の微小突起２５を形成している。この微小突起２５は、その高さを０.０５〜０.３ｍｍ程度に、好ましくは０.１〜０.２ｍｍ程度に形成するとよく、また、軸方向に沿って適宜の長さに、通常、保持軸６の長さの１／３〜２／３程度の長さに形成するとよい。
また、この微小突起２５は、保持軸６の円周方向に６０度以上で１８０度未満の適宜の間隔を置いて等間隔又は不等間隔に複数個形成すると良く、好ましくは等間隔に３個（１２０度毎）、４個（９０度毎）、５個（７２度毎）、６個（６０度毎）程度に設けるようにするとよい。
【００１５】
上記したように構成部材２の保持軸６に他方の構成部材３の挿入軸１６を挿入すると、保持軸６の内面２４に設けた微小突起２５が挿入軸１６の外面２６に接するようになって、保持軸６の内面２４と挿入軸１６の外面２６の間には隙間２７ができるので、保持軸６と挿入軸１６とによって形成される閉鎖的な空間２８内の空気は自然と排出され、両軸６，１６の嵌め合わせをスムーズに行うことができ、両構成部材２，３を確実に合致させてテープディスペンサー１の組み立てることができる。（図５）
また、この保持軸６と挿入軸１６は上記微小突起２５を介して嵌め合わされているので、少し力を入れれば引き離して両構成部材２，３を分割し、保持軸６の粘着テープ５を取り替えることができる。
【００１６】
上記微小突起２５の高さが０.０５ｍｍより低い場合には、保持軸６の内面２４と挿入軸１６の外面２６の間の隙間２７が狭くて、閉鎖的な空間２８内の空気をスムーズに排出することができず、０.３ｍｍよりも高いと却って保持軸６と挿入軸１６の嵌合状態を確実に作り難いことがある。
【００１７】
こうした微小突起２５は、上記の如く保持軸６の内面２４ではなく、挿入軸１６の外面２６の方に設けるようにすることができるし、また、保持軸６の内面２４と挿入軸１６の外面２６の双方に分けて設けることもできる。
上記した構成部材２，３は、プラスチック材料を使用して上記の如く射出成型法などによって、微小突起も容易に一体に設けることができる。
【００１８】
上記保持軸６及び挿入軸１６は、通常、上記したように円筒形に形成することが好ましいが、楕円筒形、三角筒形や四角筒形その他多角筒形などの適宜の形状に形成することができ、上記に準じて複数個の微小突起２５を分散状態に形成するようにするとよい。
【符号の説明】
【００１９】
１    テープディスペンサー
２    一方の構成部材
３    他方の構成部材
５    粘着テープ
６    保持軸
９    カッター
１６  挿入軸
２４  保持軸の内面
２５  微小突起
２６  挿入軸の外面
２７  保持軸と挿入軸の間の隙間
【図１】
0003191091.tif 000003
【図２】
0003191091.tif 000004
【図３】
0003191091.tif 000005
【図４】
0003191091.tif 000006
【図５】
0003191091.tif 000007